(57)【要約】【課題】ユニークな表示形態で画像再生表示を容易に実現する携帯機器を提供する。【解決手段】撮像素子及び撮影レンズを備えた撮像部１２と、撮像部から出力された画像信号を受けて信号処理を行なう信号処理を有する制御手段１１と、撮像部から出力された画像信号又は記録部１６に記録済みの画像データに基く画像を表示する表示部１３と、表示部の表示画面上に設けられたタッチパネル部１４とを具備し、制御手段は画像信号に基いて表示部に表示される画像領域のうち表示部の表示画面の左右方向及び上下方向の縮尺比がいずれも変更されて変形表示される画像領域と、表示部で表示画面の左右方向及び上下方向の縮尺比を変更せずに表示される画像領域とを設定する。【選択図】図１
2012247857.tif 000002
【特許請求の範囲】
【請求項１】
撮像素子及び撮影レンズを備えた撮像部と、
上記撮像部から出力された画像信号を受けて信号処理を行なう信号処理を有する制御手段と、
上記撮像部から出力された画像信号又は記録部に記録済みの画像データに基く画像を表示する表示部と、
上記表示部の表示画面上に設けられたタッチパネル部と、
を具備し、
上記制御手段は、上記画像信号に基いて上記表示部に表示される画像領域のうち上記表示部の表示画面の左右方向及び上下方向の縮尺比がいずれも変更されて変形表示される画像領域と、上記表示部で表示画面の左右方向及び上下方向の縮尺比を変更せずに表示される画像領域とを設定することを特徴とする携帯機器。
【請求項２】
上記制御手段は、撮影動作時には、上記撮像部を用いて画像データの取得処理を行なうのと同時に、上記取得した画像データに表示形態情報を付与することを特徴とする請求項１に記載の携帯機器。
【請求項３】
上記制御手段は、取得済み画像データの再生処理中に、上記画像データに表示形態情報を付与することを特徴とする請求項１に記載の携帯機器。
【請求項４】
上記表示形態情報は、二次元媒体を被写体とする画像の輪郭情報，折り目位置情報，折り畳み形態情報，表紙情報，サムネイル画像，表裏情報のいずれか一つを含むことを特徴とする請求項２又は請求項３に記載の携帯機器。
【請求項５】
上記制御手段は、再生動作時には、上記表示部を用いて上記表示形態情報に基く表示形態による画像再生表示を行なうことを特徴とする請求項２〜請求項４のいずれか一つに記載の携帯機器。
【請求項６】
上記制御手段による画像の表示形態は、画像の折り畳み経過又は展開経過を表わすアニメーション表示であることを特徴とする請求項５に記載の携帯機器。
【請求項７】
撮像部により二次元媒体の被写体像を含む画像データを取得する撮像ステップと、
上記撮像ステップにおいて取得された画像データに基く画像中に折り目位置の設定を行なう折り目位置指定ステップと、
上記折り目位置指定ステップにおいて設定された折り目位置を境界とする複数の画像領域のうちの一つの画像領域を表紙画像として設定する表紙指定ステップと、
上記撮像ステップにおいて取得した画像データと、上記折り目位置指定ステップにおいて設定された折り目位置情報と、上記表紙指定ステップにおいて設定された表紙情報と、に基いて折り畳み経過を表わすアニメーション表示を実行する折り畳み表示ステップと、
上記表紙指定ステップにて設定された表紙画像に対応するサムネイル画像データを生成するサムネイル画像データ生成ステップと、
上記画像データを記録するのと同時に、当該画像データに関連付けて上記折り目位置情報，上記表紙情報を記録媒体に記録する記録ステップと、
を有することを特徴とする画像表示情報の取得方法。
【発明の詳細な説明】
【技術分野】
【０００１】
この発明は、携帯機器及び画像表示情報の取得方法、詳しくはデジタルカメラ等の撮影機器によって取得した画像データに基いて画像の再生表示を行ない得る携帯機器であって、通常表示形態とは異なる表示形態での画像再生表示を容易に行なうための画像表示情報の取得手段に関するものである。
【背景技術】
【０００２】
従来、光学像を電気信号に変換する光電変換処理を経て画像データを取得し、これを半導体メモリ等の記録媒体にデータファイルとして記録し得る一方、記録媒体に記録済みの画像データに基く画像を表示装置を用いて表示し得るように構成され、かつ携帯可能とするために小型化及び軽量化がなされた携帯機器、例えばデジタルカメラ等が実用化されている。
【０００３】
このような形態の携帯機器においては、画像データに対応する画像を表示装置を用いて通常形態で単に表示させるほかに、同画像データに対して各種のデータ処理等を施して通常形態とは異なる様々な表示形態、例えばサムネイル一覧表示，スライドショー表示，イベントビュー表示等の各種の表示形態による表示を行ない得るようにしたものが、従来、種々の提案がなされ、実用化されている。
【０００４】
画像データに基く画像を表示する際の各種の表示形態を実現するために、従来のこの種の携帯機器においては、撮影と同時に若しくは撮影後、一旦記録媒体に記録済みの画像データに基いて、様々な画像データ処理等を施すデータ処理手段を機器内部に具備している。
【０００５】
そして、従来のこの種の携帯機器においては、撮影画像を表示する際の様々な形態の表示形態についての工夫が、種々提案されてきてはいるが、撮影画像をさらにユニークに再生表示させ得る表示形態については、未だ発展の余地が残されている。
【０００６】
例えば、この種の携帯機器を用いた画像表示形態としては、単一の画像を単に無加工によって表示させる（通常の表示形態）だけでなく、様々な表示形態を、携帯機器の表示装置の表示画面上で即座に実現することができれば、使用者にとっては至便であると考える。
【０００７】
そこで、例えば任意のデータファイルに基いて各種の編集加工処理を行なって提示用データファイルを作成し、これを所望の表示形態で表示させるようにするシステムについては、例えば特開平８−１８００３６号公報等によって、種々の提案がなされている。
【０００８】
上記特開平８−１８００３６号公報等によって開示されている手段は、マルチメディアプレゼンテーション資料構成システムに関するものであって、プレゼンテーション時において、様々な遷移効果を用いて資料等を表示させるための各種の編集加工処理を行なうというものである。  
【先行技術文献】
【特許文献】
【０００９】
【特許文献１】特開平８−１８００３６号公報
【発明の概要】
【発明が解決しようとする課題】
【００１０】
ところが、上記特開平８−１８００３６号公報によって開示されている手段は、主に文書ファイルの編集加工処理を行なってプレゼンテーション資料を作成するというものであるから、例えばデジタルカメラ等のように、例えば静止画像等からなる画像データ等を扱う携帯機器においては、当該公報に開示されるような手段をそのまま適用することはできない。
【００１１】
本発明は、上述した点に鑑みてなされたものであって、その目的とするところは、デジタルカメラ等の撮影機器によって取得した画像データに基いて画像の再生表示を行ない得る携帯機器であって、通常表示形態とは異なるユニークな表示形態での画像再生表示を容易に実現するための画像表示情報の取得手段を備えた携帯機器を提供すると共に、その画像表示方法を提供することである。
【課題を解決するための手段】
【００１２】
上記目的を達成するために、本発明の一態様の携帯機器は、撮像素子及び撮影レンズを備えた撮像部と、上記撮像部から出力された画像信号を受けて信号処理を行なう信号処理を有する制御手段と、上記撮像部から出力された画像信号又は記録部に記録済みの画像データに基く画像を表示する表示部と、上記表示部の表示画面上に設けられたタッチパネル部と、を具備し、上記制御手段は、上記画像信号に基いて上記表示部に表示される画像領域のうち上記表示部の表示画面の左右方向及び上下方向の縮尺比がいずれも変更されて変形表示される画像領域と、上記表示部で表示画面の左右方向及び上下方向の縮尺比を変更せずに表示される画像領域とを設定することを特徴とする。
【発明の効果】
【００１３】
本発明によれば、デジタルカメラ等の撮影機器によって取得した画像データに基いて画像の再生表示を行ない得る携帯機器であって、通常表示形態とは異なるユニークな表示形態での画像再生表示を容易に実現するための画像表示情報の取得手段を備えた携帯機器を提供することができ、その画像表示方法を提供することができる。
【図面の簡単な説明】
【００１４】
【図１】本発明の第１の実施形態の携帯機器（デジタルカメラ）の内部構成の概略を示すブロック構成図、
【図２】図１の携帯機器（デジタルカメラ）の作用を説明する概念図であって、表示部の表示画面に画像を表示させた場合の一例を示す図、
【図３】図１の携帯機器（デジタルカメラ）の作用を説明する概念図であって、折り目位置指定操作を行なっている様子を示す図、
【図４】図１の携帯機器（デジタルカメラ）の作用を説明する概念図であって、図３の折り目位置指定操作の後、表紙指定操作を行なっている様子を示す図、
【図５】図１の携帯機器（デジタルカメラ）の作用を説明する概念図であって、折り畳み表示の推移の一例を経時的に示す概念図、
【図６】図１の携帯機器（デジタルカメラ）の作用を説明する概念図であって、図５の（Ｄ）〜（Ｅ）の状態に略相当する表示部の画像を拡大して表示する図、
【図７】図１の携帯機器（デジタルカメラ）の作用を説明する概念図であって、図５の（Ｇ）の状態の画像のサムネイル画像を示す図、
【図８】図１の携帯機器（デジタルカメラ）の作用を示し、カメラ制御のメインシーケンスを示すフローチャート、
【図９】図１の携帯機器（デジタルカメラ）の作用を示し、図８の変形表示処理（図８のステップＳ１１７の処理）のサブルーチンを示すフローチャート、
【図１０】図８のカメラ制御処理の実行中における表示部の状態を示す概念図であって、表示部の表示画像において折り目表示線が設定されており、この折り目表示線を境界として左半部画像が表紙指定されている場合に、右半部画像を変形表示させる場合の概念を示す図、
【図１１】図８のカメラ制御処理の実行中における表示部の状態を示す概念図であって、表示部の全表示領域に画像が表示されている状態で、折り目表示線が設定され、かつ表紙画像が指定されている状態において、折り目表示線をＹ軸とする座標系を想定した概念図、
【図１２】図８のカメラ制御処理の実行中における表示部の状態を示す概念図であって、図１１の状態から所定時間が経過した後の状態を示す表示部の概念図、
【図１３】本発明の第２の実施形態のカメラにおける撮影処理シーケンスを示すフローチャート、
【図１４】本実施形態のカメラにおいて、撮影処理シーケンス実行中のライブビュー表示が行なわれている状態の表示部を示す概念図、
【図１５】図１４の状態において、ライブビュー画像に枠表示処理を施した状態を示す概念図、
【図１６】本実施形態のカメラにおいて、撮影処理シーケンス実行中の表示部の状態を示し、撮影画像及び枠画像に重畳させて表示した選択メニューの表示例を示す図、
【図１７】本実施形態のカメラにおいて実行可能な表示形態のうち、「２つ折り」表示形態の異なる例を示す図、
【図１８】本実施形態のカメラにおいて実行可能な表示形態のうち、「４つ折り」表示形態の一例を示す図、
【図１９】図１３の撮影処理シーケンス中に実行される「マニュアル設定」処理シーケンスの詳細を示すフローチャート、
【図２０】本実施形態のカメラによる画像再生処理シーケンスを示すフローチャート、
【図２１】本実施形態のカメラによる画像再生処理シーケンス中における「マニュアル設定」処理のサブルーチンの一部を示すフローチャート、
【発明を実施するための形態】
【００１５】
本発明の各実施形態は、例えば光学レンズにより形成される光学像を固体撮像素子を用いて電気信号に変換する光電変換処理を経て画像データを取得し、これを半導体メモリ等の記録媒体にデータファイルとして記録し得る一方、記録媒体に記録済みの画像データに基いて静止画像又は動画像を表示装置を用いて再生表示し得るように構成され、かつ携帯可能とするために小型化及び軽量化がなされた携帯機器であり撮影機器であるデジタルカメラを例示するものである。
【００１６】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００１７】
［第１の実施形態］
図１は、本発明の第１の実施形態の携帯機器（デジタルカメラ）の内部構成の概略を示すブロック構成図である。図２〜図１２は、本実施形態の携帯機器（デジタルカメラ）の作用を説明する概念図である。
【００１８】
本発明の第１の実施形態は、携帯機器であるデジタルカメラ（以下、カメラと略記する）を用いて撮影され、記録媒体に記録済みの画像データに基く画像を表示装置を用いて表示するのに際し、通常の表示形態とは異なる表示形態を実現するための一手段を提示するものである。
【００１９】
この場合において、本実施形態で提示される表示形態を実現するための対象となる画像データとしては、例えば地図，パンフレット，書類等の紙状の二次元媒体からなる対象物（紙状資料）を一枚の紙片として広げた状態を複写手法等を用いて撮影した画像データとする。
【００２０】
このような画像データを画像として表示する際の表示形態として、記録媒体を参照する際のサムネイル一覧表示の際には、例えば上記紙状資料が折り畳まれた状態で一部の画像のみを表支部として表示するサムネイル画像（折り畳みアイコン画像）の表示形態とする。また、このような形態のサムネイル画像を選択して拡大表示する際には、折り畳まれた状態の画像が徐々に広げられ展開される経過を模して表示し、最終的に一枚の画像を表示装置の表示画面上に表示させる表示形態を実現するというものである。
【００２１】
簡略に言えば、記録媒体に保存している状態（サムネイル画像の表示形態）では、物体としての紙状資料をあたかも折り畳んだ状態で持ち歩くイメージを実現する。
【００２２】
また、上記サムネイル画像を選択することで、表示を所望する画像データを選択操作して当該画像データを記録媒体から読み出して表示装置に拡大表示させる際には、上記折り畳まれた紙状資料を表わすサムネイル画像に対応する画像を表示させた後、この画像を表示装置の表示画面上にて擬似的に展開させる経過を表示させつつ、最終的には当該画像データに対応する一つの画像を表示画面の全領域を用いて画面いっぱいに表示させるという表示形態である。
【００２３】
さらに、表示を終了する際には、上記展開表示を行なう時とは反対に、画像の一部が徐々に折り畳まれる経過を表示させながら、対応するサムネイル画像と同様の折り畳まれた状態の画像へ戻すという表示形態である。
【００２４】
以下に説明する第１の実施形態では、予め撮影され記録媒体に記録済みの画像データを表示装置を用いて通常表示させている状態で、使用者が各種設定操作を行うことによって、表示形態に関する付加情報を生成し、それらの付加情報を対応する画像データに付加する。ここで、表示形態に関する付加情報とは、例えば、画像の輪郭情報，折り目位置情報，表紙情報，折り畳み形態（順序）情報，サムネイル画像，表裏情報等である。
【００２５】
まず、本発明の第１の実施形態のカメラの内部構成のうち本発明に直接関わる主要構成部について、図１を用いて以下に説明する。
【００２６】
カメラ１０は、信号処理＆制御部１１と、撮像部１２と、表示部１３と、タッチパネル１４と、操作部１５と、記録部１６等を具備して構成される。
【００２７】
信号処理＆制御部１１は、カメラ１０の全体を統括的に制御する制御手段であって、カメラ１０内の各種の構成ユニットから入力される各種の信号を受けて、各信号に対応する各種の信号処理及び制御処理を行う回路部である。信号処理＆制御部１１は、内部に表示制御部１１ａ，操作判定部１１ｂ，折り目判定部１１ｃ，表紙判定部１１ｄ，演算部１１ｅ等等を有している。
【００２８】
表示制御部１１ａは、表示部１３を駆動制御する表示制御回路である。  
操作判定部１１ｂは、タッチパネル１４，操作部１５等からの指示信号を受けて、指示された操作を判定する回路部である。  
折り目判定部１１ｃは、タッチパネル１４，操作部１５等からの折り目位置を指定する旨の指示信号を受けて、表示画像中における折り目位置を特定する回路部である。  
表紙判定部１１ｄは、タッチパネル１４，操作部１５等からの表紙画像を指定する旨の指示信号を受けて、表示画像中における表紙画像領域を特定する回路部である。
【００２９】
演算部１１ｅは、上記折り目判定部１１ｃ，表紙判定部１１ｄ等からの判定結果を受けて、表示部１３に表示する表示形態（本実施形態においては折り畳み表示を行なう表示形態）に対応する画像変形処理等を行なうための演算を行なう演算回路である。
【００３０】
なお、本実施形態のカメラ１０における信号処理＆制御部１１は、上述の構成部のほかに、例えば撮像部１２の駆動制御を行なう撮像制御回路、撮像部１２によって取得した画像データについての圧縮伸張処理，加工処理等を行なう画像データ処理回路、記録部１６の駆動制御を行なう記録制御部等を有する。これら不図示の処理回路，制御回路については、従来の一般的なカメラにおいて採用されている構成と同様のものであるとし、その詳細構成の説明は省略する。
【００３１】
撮像部１２は、被写体からの光束を受けて光学像を形成する撮影レンズ（及びそのレンズ駆動機構等も含む）や、この撮影レンズによって形成された光学像を受けて光電変換する光電変換素子（撮像素子）、この光電変換素子により生成された画像信号の前処理を行って所定のファイル形態の画像データを生成する信号処理回路等によって構成される。撮像部１２によって生成された画像データは、上記信号処理＆制御部１１へと出力される。なお、上記光電変換素子としては、ＣＣＤ（Ｃｈａｒｇｅ  Ｃｏｕｐｌｅｄ  Ｄｅｖｉｃｅ；電荷結合素子），ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ；相補型金属酸化膜半導体）等の固体撮像素子が適用される。
【００３２】
表示部１３は、信号処理＆制御部１１において生成される表示用画像信号を受けて対応する画像表示や、予め用意されている設定用メニュー表示等を表示させる表示装置である。表示部１３は、上記信号処理＆制御部１１の表示制御部１１ａによって駆動制御される。なお、表示部１３としては、例えば液晶表示装置（ＬＣＤ）や有機ＥＬディスプレイ等が適用される。
【００３３】
この表示部１３は、撮影時には撮像部１２からの出力を信号処理＆制御部１１の表示制御部１１ａを介して連続的に受けて、いわゆるライブビュー表示を行なうことで電子ビューファインダーとして機能するものである。また、画像再生時には記録部１６の記録媒体に記録済みの画像データを読み込んで対応する画像を表示させる表示装置として機能するものである。
【００３４】
タッチパネル１４は、表示部１３の表示画面の表面上に配置される位置入力パネルと、表示部１３に表示される操作用表示等によって構成される。使用者がタッチパネル１４に対して所定のタッチ操作（接触操作）を行うと、タッチパネル１４は、タッチ操作された位置若しくは領域等に関する信号を発生させて信号処理＆制御部１１へと出力する。これを受けて、信号処理＆制御部１１は、表示部１３の表示画面上におけるタッチ操作のタッチポイント等を検出する。その検出結果を受けて、表示制御部１１ａは表示部１３を制御して、の表示画面に表示される内容を適宜制御する。
【００３５】
このように、タッチパネル１４は、通常の操作部材からなる操作部１５に変わる、若しくは補助する操作手段としての役目をしている。
【００３６】
なお、このタッチパネル１４は、従来一般に普及し実用化されているデジタルカメラ等の撮影機器に広く適用されているものと略同様構成のものが適用される。したがって、本実施形態の構成を説明するのに際しては、タッチパネル１４の構成の詳細な図示及び説明は省略する。
【００３７】
操作部１５は、カメラ１０において各種の指示入力を行う複数の操作部材及びそれらに対応するスイッチ等によって構成される。使用者が操作部１５を操作することによって生じる指示信号は、信号処理＆制御部１１に伝達され、これを受けて信号処理＆制御部１１は、各対応する制御を実行する。
【００３８】
記録部１６は、上記撮像部１２によって取得され上記信号処理＆制御部１１において各種の信号処理が施された後の記録用画像データや、画像データに付随する付加でータ等を記録蓄積するための記録媒体と、この記録媒体を駆動する駆動回路等からなる。
【００３９】
本カメラ１０は、その他の各種構成部材を具備するものであるが、上記以外の構成部材については、従来の一般的なカメラが有する構成と同様のものが採用されるものとして、それらの図示及び詳細構成の説明は省略する。
【００４０】
このように構成された本実施形態のカメラ１０の作用の概略を、図２〜図７等を用いて以下に簡単に説明する。
【００４１】
なお、本カメラ１０を使用して撮影を行なう際の作用は、従来一般的なカメラによって行われる撮影時の作用と同様である。  
ただし、本実施形態において例示する表示形態を実現するために対象とする画像データは、上述したように、例えば地図，パンフレット，書類等の紙状の二次元媒体からなる対象物（以下、紙状資料等という）を一枚の紙片として広げた状態を複写手法等により撮影した画像データとする。
【００４２】
したがって、本カメラ１０における記録部１６の記録媒体には、通常の一般的な写真撮影によって取得した画像データのほかに、このような紙状資料等を複写撮影等による画像データが混入しているものとする。  
そして、この種の画像データには、例えば複写撮影等による画像データである旨を表わす付加情報として、画像種別を示すタグ情報等が付加されているものとする。このタグ情報は、撮影時において、撮影モードの選択設定に応じて自動的に、あるいは撮影者が都度任意に設定することによって、記録用画像データに付加される。この種のタグ情報についても、従来のカメラ等において一般的に実用化されている技術を適用すればよい。
【００４３】
本カメラ１０を使用して、記録媒体に記録済みの画像データに基く画像を再生表示する際の作用についても、基本的には従来一般的なカメラにおいて行われるものと同様である。
【００４４】
即ち、カメラ１０が、例えば再生モードにあるとき、信号処理＆制御部１１は、記録制御部を介して記録部１６を制御すると共に、表示制御部１１ａを介して表示部１３を制御することによって、記録媒体に記録済みの画像データのサムネイル画像を表示部１３の表示画面上に並べて表示させるファイル一覧表示を行なう。
【００４５】
使用者は、このファイル一覧表示から表示を行なう所望の画像データを所定の操作部１５の操作、若しくはタッチパネル１４のタッチ操作を行なって選択する。
【００４６】
こうして選択された画像データが、カメラ１０の記録部１６の記録媒体から読み出されて、信号処理＆制御部１１において所定の信号処理が施された後、表示制御部１１ａを介して表示用画像データとして表示部１３へと出力される。これにより、当該画像データに対応する画像が、表示部１３の表示画面の全領域に拡大表示される。
【００４７】
この場合において、使用者が選択した画像データが、上述のような複写撮影等である旨のタグ情報を含む画像データである場合には、表示部１３の表示画面上には、例えば図２に示すような画像が表示される。図２は、本実施形態のカメラ１０の表示部１３の表示画面に、複写撮影等である旨のタグ情報を含む画像データに基く画像を表示させた場合の一例を示す図である。
【００４８】
複写撮影等である旨のタグ情報を含む画像データに基く画像を表示部１３の表示画面に表示させた場合、図２に示すように、表示画面中の所定の位置に符号１３ａで示すようなアイコン表示が表れる。この場合において、図２に示す例では「ＭＡＰ」という文字を含むアイコン１３ａを表示させた例を示している。このアイコン１３ａは、対応する画像データが例えば地図を複写撮影等によるものであることを示している。つまり、アイコン１３ａは、表示中の画像に対応する画像データの付加情報に基いて対応する種のものが表示されるようになっている。
【００４９】
この状態で、例えば操作部１５の所定の操作を行なって、再生モード中における再生情報付加モードへの切り換え設定を行なったとする。この再生情報付加モードとは、本実施形態で説明する表示形態、即ち通常の表示形態とは異なる各種の変形表示形態を実現するための各種の情報を画像データに付加するための動作モードである。
【００５０】
表示部１３の表示画面に、タグ情報を含む画像データに基く画像を表示させている状態で再生情報付加モードに切り換えたとする。このような操作は、表示中の画像に対応する画像データに対して、所望の変形表示形態に関する情報を付加する場合に行なう。
【００５１】
このとき、表示部１３の表示画面上には、図２の符号１３ｂで示すアイコン表示が同時に現われる。この図２の表示例では「折り目指定」という文字を含むアイコン１３ｂを表示させた例を示している。このアイコン１３ｂは、後述する「折り目指定」処理を行なう際に表れる。つまり、アイコン１３ｂは、操作指示を促す種のものであって、実行される処理に応じて適宜表示される状態表示アイコンである。なお、アイコン１３ｂを表示させるためのアイコン用画像データ等は、カメラ１０の内部に設けられるＲＯＭ等の記憶部（不図示）や、若しくは記録部１６の記録媒体等に予め記憶され用意されているものとする。
【００５２】
この状態において、使用者は、所望の折り目位置を指定するための操作を行なう。図３は、折り目位置指定操作を行なっている様子を示す図である。図３に示すように、使用者は手指を用いて表示部１３上のタッチパネル１４の表面を、画像の折り目としたい位置（所望の折り目位置）を指定する操作を行なう。図３に示す例では、使用者は手指を、表示部１３上のタッチパネル１４の表面上の画面横方向の略１／２となる位置１００ａから、画面縦方向（即ち矢印Ｙ方向）に沿ってタッチ＆スライド操作を位置１００ｂへと行なっている状態を示している。
【００５３】
この操作を行うことにより、図４の符号１３ｃで示すような折り目表示線が表れる。図４は、図３の折り目位置指定操作の後、表紙指定操作を行なっている様子を示す図である。また、これと同時に、図４に示すように、アイコン１３ｂは、「表紙をタッチ」といった文字を含むものに変化する。このアイコン１３ｂは、「表紙指定」処理を行なう際に表れる。
【００５４】
ここで、使用者は、上記の操作で指定した折り目位置に基いて分割される二つの領域のうちの一方を表紙として指定するための操作を行なう。図４に示すように、使用者は手指を用いて表紙として指定する側の表示部１３上のタッチパネル１４の表面をタッチ操作して指定する。図４に示す例では、使用者は、表示部１３上のタッチパネル１４の左半部の領域内の位置１００ａを手指にてタッチ操作している状態を示している。
【００５５】
この操作を行うことにより、図４の符号１３ｃで示す折り目位置から左半部を表紙として残し、右半部が折り畳まれるようなアニメーション表示が実行される。図５（Ａ）〜（Ｇ）は、この表示形態における折り畳み表示の推移の一例を経時的に示す概念図である。
【００５６】
本実施形態のカメラ１０によって行われる折り畳み表示は次のように行われる。まず、図５（Ａ）に示す状態、即ち表示部１３の表示領域全体に一画像が表示されていて（なお図５では画像自体の図示は省略している）、その画像中に上記の折り目表示線１３ｃが表示されている状態である。ここで、折り目表示線１３ｃに対し左半部を符号１３Ｌ，右半部１３Ｒで示している。そして、上記の表紙指定操作によって、画面左半部１３Ｌが表紙として指定されているものとする。
【００５７】
この状態において、折り畳み処理が実行されると、図５（Ｂ）以降で示されるように、折り目表示線１３ｃを堺に画面右半部１３Ｒが画面奥側に向けて折り畳まれるように表示される。即ち、図５（Ａ）に示される略矩形状の画面右半部１３Ｒの画像部分が、図５（Ｂ）に示される略台形状１３Ｒｂに変化する。このとき、背景となる部分（図５（Ｂ）において斜線で示す部分）は、例えば白若しくは黒等によって表示される。これ以降、時間経過に従って、図５（Ｃ）〜（Ｆ）に示されるように、画面右半部１３Ｒの画像部分（略台形部分１３Ｒｃ，１３Ｒｄ，１３Ｒｅ，１３Ｒｆ）の面積が小となる方向に変形し、同時に背景部分の領域の面積が大となる。つまり、表示部１３に表示される画像領域のうち画面右半部１３Ｒの画像は、表示部１３の表示画面の左右方向及び上下方向の縮尺比がいずれも変更されて変形表示される。そして、最終的に、画面右半部１３Ｒの画像が非表示状態となるのと同時に、画面右半部は全て背景領域となる。
【００５８】
このようにして、最終的に表示部１３に表示される画像は、画面左半部１３Ｌの略矩形状画像のみとなる。この左半部１３Ｌの矩形状画像は、表示部１３の表示画面の左右方向及び上下方向の縮尺比を変更せずに表示される画像領域（表紙画像）である。そして、この左半部１３Ｌの画像領域の縦横比は、画像全体を画面全体に表示させた場合の矩形画像の縦横比とは異なるものとなっている。
【００５９】
図５（Ａ）〜（Ｇ）に示すような折り畳み表示の経時変化を簡略に説明すると、上記折り畳み表示は、表示部１３の全画像領域に表示されている画像データにおいて、所定の座標点の画素が、時間経過と共に徐々に置換えられて所定の方向に移動することによって表示画像に変化が生じる（変形する）ことになる。例えば、図６は、図５（Ｄ）〜（Ｅ）の状態に略相当する表示部１３の画像を拡大して表示する図である。上記図４に示す状態（全画像表示状態）における右上隅の座標点Ｉｍ（Ｘ１，Ｙ１）に対応する画素が、図６に示すように、座標点Ｉｍ（Ｘａ，Ｙａ）へと移動することによって、図４の状態（前画像表示状態）において略矩形形状であった表示画像は、所定時間経過後の図６に示す状態になると、略台形状に変形することになる。
【００６０】
そして、その後、図５（Ｇ）の状態の画像、即ち左半部１３Ｌの表紙画像について、図７に示すようなサムネイル画像が生成される。このサムネイル画像は、使用者が所定の操作を行なってファイル一覧表示を行なう場合等に用いられるデータである。つまり、本カメラ１０を再生モードで動作させる場合、このサムネイル画像データを付加情報として有する画像データが読み込まれると、表示制御部１１ａは、ファイル一覧表示を行なう際に、上記サムネイル画像１３ｄを表示させる制御を行なう。
【００６１】
以上簡単に説明した本実施形態のカメラ１０の作用について、図８，図９を用いて以下に詳述する。図８，図９は、本実施形態のカメラの作用を示すフローチャートである。このうち図８は、カメラ制御のメインシーケンスを示すフローチャートである。図９は、図８の変形表示処理（図８のステップＳ１１７の処理）のサブルーチンを示すフローチャートである。また、図１０〜図１１は、図８，図９に示されるカメラ制御処理の実行中における表示部の状態を示す概念図である。
【００６２】
まず、カメラ１０の電源がオン状態にあるとき、図８のステップＳ１０１において、信号処理＆制御部１１は、設定されている動作モードが撮影モードであるか否かの確認を行なう。ここで、撮影モードが設定されていることが確認されると、次のステップＳ１０２の処理に進む。このステップＳ１０２の処理以降、ステップＳ１０５までの処理シーケンスは、従来のカメラで一般的に行なわれている通常の撮影モードと略同様のシーケンスであり、本発明には直接関連しない部分であるので、その説明は簡単に説明するに留める。
【００６３】
即ち、ステップＳ１０２において、信号処理＆制御部１１は、撮像部１２，表示部１３を制御して、ライブビュー表示処理を実行する。
【００６４】
続いて、ステップＳ１０３において、信号処理＆制御部１１は、操作部１５のうち撮影開始指示を発生させるシャッターレリーズスイッチからの指示信号の確認を行なう。ここで、撮影開始指示信号が確認された場合には、次のステップＳ１０４の処理に進む。また、撮影開始指示信号が確認されない場合には、ステップＳ１２５の処理に進む。
【００６５】
ステップＳ１０４において、信号処理＆制御部１１は、撮像部１２，表示部１３等を制御して、所定の撮影動作処理を実行する。
【００６６】
続いて、ステップＳ１０５において、信号処理＆制御部１１の表示制御部１１ａは、上述のステップＳ１０４の処理にて取得した画像データに基く画像を表示部１３を制御して表示する画像表示処理を実行する。その後、ステップＳ１１１の処理に進む。
【００６７】
なお、本実施形態においては、この時点においては、取得画像データの記録は行なわれていないが、上記ステップＳ１０４の処理にて、同時に記録部１６を制御して画像データの記録処理を行なう処理ステップを挿入しておいてもよい。この場合に記録される画像データは、通常の画像データであり、例えば表示形態に関する付加情報等は、この時点では存在しない（未だ設定されていない）ため記録されない。
【００６８】
また、本実施形態においては、次のステップＳ１１１の処理以降において、上記の撮像動作により取得された画像データに対して、表示形態に関する情報、即ち折り畳み表示を実行するのに必要となる情報の付与設定を行なうようにしている。
【００６９】
まず、ステップＳ１１１において、信号処理＆制御部１１の表示制御部１１ａは、表示制御部１１ａを介して表示部１３を制御して「折り目指定」アイコン１３ｂ（図２参照）を表示させる。その後、ステップＳ１１２の処理に進む。
【００７０】
なお、ここで、表示形態に関する情報の付与設定を行なう意志が使用者にない場合、例えば直前の撮影行為による撮影対象が通常被写体であったり、表示形態情報の付与設定をすぐには行なわず後日行なう等の場合には、当該処理ステップにて上記の「折り目指定」アイコン１３ｂと共に、所定の「キャンセル」アイコン等（不図示）を表示させるようにしてもよい。また、上記「キャンセル」アイコン等（不図示）を表示させずとも、操作部１５のうちの所定の操作部材を操作すれば、表示形態情報付与設定をキャンセルすることができるようにしてもよい。これらの場合には、使用者が「キャンセル」アイコンをタッチ操作したり、所定の操作部材を操作することによって、使用者の意志により即座に実行中の処理を中止することができる。そして、このようにしてキャンセル指示を受けた場合には、信号処理＆制御部１１は、後述するステップＳ１２３の処理に進み、以降の処理ステップにて、通常の記録処理を実行する。
【００７１】
図８に戻って、ステップＳ１１２において、信号処理＆制御部１１の操作判定部１１ｂ，折り目判定部１１ｃは、タッチパネル１４からの指示信号を監視して、使用者が、所望の折り目位置を指定するための操作を行なったか否かの確認を行なう。つまり、タッチパネル１４の指示信号が、タッチパネル１４の端部から端部へのタッチ＆スライド操作であるか否か、即ち図３に示すような操作が行なわれたか否かの確認を行なう。ここで、所定のタッチ＆スライド操作が確認された場合には、次のステップＳ１１３の処理に進む。また、所定のタッチ＆スライド操作が確認されない場合には、ステップＳ１２１の処理に進む。このステップＳ１２１の処理に進む場合とは、使用者が表示形態情報付与設定を行なう意志のない場合である。
【００７２】
即ち、ステップＳ１２１において、信号処理＆制御部１１は、内部時計（不図示）によって所定時間（本実施形態では５秒とする）の経過を待って、次のステップＳ１２２の処理に進む。
【００７３】
そして、次のステップＳ１２２において、信号処理＆制御部１１は、直前の撮影行為によって取得され、表示部１３に表示中の画像に対応する画像データについて、そのサムネイルデータを作成する処理を実行する。その後、ステップＳ１２３の処理に進み、以降の処理ステップにて、通常の記録処理を実行する。
【００７４】
一方、上述のステップＳ１１２の処理にて折り目位置指定操作が確認されて、ステップＳ１１３の処理に進むと、このステップＳ１１３において、信号処理＆制御部１１は、表示制御部１１ａを介して表示部１３を制御して、折り目表示線１３ｃを表示すると共に、この折り目表示線１３ｃに基いて、後述する折り畳み表示（又は折り畳み表示からの展開表示）のための変形表示処理の際の演算に用いる座標原点を設定する。
【００７５】
続いてステップＳ１１４において、信号処理＆制御部１１は、表示制御部１１ａを介して表示部１３を制御して「表紙指定」アイコン１３ｂ（図４参照）を表示させる。その後、ステップＳ１１５の処理に進む。
【００７６】
ステップＳ１１５において、信号処理＆制御部１１の操作判定部１１ｂ，表紙判定部１１ｄは、タッチパネル１４からの指示信号を監視して、使用者が、表紙指定のタッチ操作を行なったか否かの確認を行なう（図４参照）。ここで、タッチ操作が確認された場合には、次のステップＳ１１６の処理に進む。また、タッチ操作が確認されない場合には、ステップＳ１２１の処理に進み、以降の処理を上述と同様に実行する。
【００７７】
ステップＳ１１６において、信号処理＆制御部１１は、上述のステップＳ１１５の処理にて確認されたタッチ操作によるタッチ位置の確認を行なう。そして、折り目表示線１３ｃを境界としてタッチ操作された側の領域（タッチ位置を含む側の領域）の画像の縦横比を維持する設定を行なう。
【００７８】
続いて、ステップＳ１１７において、信号処理＆制御部１１は、上述のステップＳ１１６の処理にて確認されたタッチ位置情報に基いて、折り目表示線１３ｃを境界としてタッチ操作されていない側の領域（タッチ位置を含まない側の領域）の画像の変形表示処理を実行する。
【００７９】
ここで、変形表示処理の詳細シーケンスを図９を用いて説明する。なお、この変形表示処理の説明の煩雑化を避けるために、以下の説明は、図１０の符号［９］で示される領域（斜線で示す領域；タッチなし部の上半部の領域）のみに着目して説明するものとする。
【００８０】
図１０は、表示部１３の表示画像において折り目表示線１３ｃが設定されており、この折り目表示線１３ｃを境界として左半部画像１３Ｌが表紙指定されている場合に、右半部画像１３Ｒを変形表示させる場合の概念を示している。
【００８１】
図１１は、表示部１３の全表示領域に画像が表示されている状態で、折り目表示線１３ｃが設定され、かつ表紙画像１３Ｌが指定されている状態（図８のステップＳ１１６の処理までのシーケンス参照）において、折り目表示線１３ｃをＹ軸とする座標系を想定した概念図である。ここで、Ｘ軸は、表示部１３の表示画像の縦方向における二分の一となる位置としている。また、図１２は、図１１の状態から所定時間が経過した後の状態を示す表示部の概念図である。
【００８２】
まず、図９のステップＳ２０１において、信号処理＆制御部１１は、内部時計（不図示）によって所定時間（本実施形態では１秒とする）の経過を待って、次のステップＳ２０２の処理に進む。
【００８３】
ステップＳ２０２において、信号処理＆制御部１１（主に演算部１１ｅ）は、当該画像変形処理の対象とする画像領域、即ち表示部１３に表示中の画像に対応する画像データにおいて表紙指定されていない画像領域（右半部画像１３Ｒ）における画素について、Ｘ軸方向及びＹ軸方向のそれぞれにおいて一列おきに間引く画像処理を行なう。この処理によって、右半部１３Ｒの画像の上半部領域［９］（図１０参照）は、Ｘ軸方向及びＹ軸方向のそれぞれにおいてＸ／２，Ｙ／２となる（図６，図１２参照）。
【００８４】
次に、ステップＳ２０３において、信号処理＆制御部１１の演算部１１ｅは、「Ｙ＝２００」を設定する。ここで、「Ｙ」はＹ軸上の座標値である。
【００８５】
続いて、ステップＳ２０４において、信号処理＆制御部１１の演算部１１ｅは、「Ｒ＝１」を設定する。ここで、「Ｒ」は、「Ｙ」に対する比率を意味している。
【００８６】
ステップＳ２０５において、信号処理＆制御部１１の演算部１１ｅは、「Ｘ＝０」を設定する。ここで、「Ｘ」はＸ軸上の座標値である。
【００８７】
ステップＳ２０６において、信号処理＆制御部１１の演算部１１ｅは、「Ｘ」の値を所定量だけ増加させる。
【００８８】
これにより、ステップＳ２０７において、信号処理＆制御部１１の演算部１１ｅは、座標Ｉｍ（Ｘ，Ｙ）を、
Ｉｍ（Ｘ，Ｙ）→Ｉｍ（Ｘ，（Ｙ１・Ｒ−（Ｙ１・Ｒ／Ｘ１）＊Ｘ））
と設定する（図６，図１２参照）。ここで、「Ｙ１」，「Ｘ１」はＹ軸，Ｘ軸上の各座標値（最大値）である。
【００８９】
次に、ステップＳ２０８において、信号処理＆制御部１１の演算部１１ｅは、「Ｘ＝Ｘ１／２」となったか否かの確認を行なう。ここで、「Ｘ＝Ｘ１／２」となっていないことを確認すると、上述のステップＳ２０６の処理に戻り、以降の処理を同様に行なう。また、「Ｘ＝Ｘ１／２」となったことが確認されると、ステップＳ２０９の処理に進む。
【００９０】
続いて、ステップＳ２０９において、信号処理＆制御部１１の演算部１１ｅは、「Ｒ」を所定値だけ（本実施形態では、所定値＝「０．０１」とする）減算する処理を実行する。即ち、
Ｒ←Ｒ−０．０１
とする。
【００９１】
次に、ステップＳ２１０において、信号処理＆制御部１１演算部１１ｅは、「Ｒ＝０」となったか否かの確認を行なう。ここで、「Ｒ＝０」となったことが確認されると、次のステップＳ２１１の処理に進む
ステップＳ２１１において、信号処理＆制御部１１は、内部時計（不図示）によって所定時間（本実施形態では１秒とする）の経過を待って、次のステップＳ２１２の処理に進む。
【００９２】
このようにして、ステップＳ２１２において、信号処理＆制御部１１は変形処理の対象としている画像部、即ち右半部１３Ｒの画像の消去処理が行なわれる。その後、元のカメラ制御メインシーケンス（不図示）に戻る（リターン）。
【００９３】
なお、上記図９の処理シーケンスでは、タッチされていない側（右半部１３Ｒ）の領域の画像のうち上半部の画像領域［９］（図１０参照）のみに着目した処理を示しているが、残る他の領域（右半部１３Ｒのうちの下半部の領域）についても略同様の処理を行なえばよい。
【００９４】
図８に戻って、ステップＳ１１８において、信号処理＆制御部１１は、折り目を境界としてタッチされた側（つまり表紙指定された側）の領域の画像に基いてサムネイル画像を生成する。その後、ステップＳ１２３の処理に進む。
【００９５】
ステップＳ１２３において、信号処理＆制御部１１は、記録部１６を制御して、上述のステップＳ１２２の処理までの処理シーケンスにて取得され一時記憶されている画像データの記録保存処理（画像ファイル化処理）を実行する。
【００９６】
ステップＳ１２４において、信号処理＆制御部１１の表示制御部１１ａは、表示部１３を制御して表示をオフ状態にする。
【００９７】
続いて、ステップＳ１２５において、信号処理＆制御部１１は、操作部１５のうち電源スイッチからのオンオフ信号の出力を確認する。ここで、電源オフ信号が確認された場合には、次のステップＳ１２７の処理に進む。また、電源オフ信号が確認されない場合には、ステップＳ１２６の処理に進む。
【００９８】
ステップＳ１２６において、信号処理＆制御部１１は、動作モードの変更操作を受け付けるモード変更操作受付処理を行なう。これにより、カメラ１０は、撮影待機状態となる。その後、ステップＳ１０１の処理に戻り、以降の処理を繰り返す。
【００９９】
一方、ステップＳ１２７において、信号処理＆制御部１１は、上述のステップＳ１２５の処理における電源オフ信号を受けて、電源状態をオフ状態に切り換える電源オフ処理を実行する。その後、一連の処理シーケンスを終了する（エンド）。
【０１００】
一方、上述のステップＳ１０１の処理にて、撮影モード以外の動作モードが設定されている場合には、ステップＳ１３１の処理に進む。なお、図８のステップＳ１３１の処理以降、ステップＳ１３７の処理までの処理シーケンスは、従来のカメラで一般的に行なわれている通常の再生モードと基本的には略同様のシーケンスであるが、後述するようにＳ１３４，Ｓ１３５の処理にて、表示形態に関する情報を有する画像データを表示する際の処理が付加されている点が異なるのみである。したがって、従来同様の処理ステップについては簡単に説明するに留め、本発明に関連する点を詳述する。
【０１０１】
まず、ステップＳ１３１において、信号処理＆制御部１１は、設定されている動作モードが再生モードであるか否かの確認を行なう。ここで、再生モードが設定されていることが確認されると、次のステップＳ１３２の処理に進む。また、再生モード以外の動作モードが設定されている場合には、対応するその他の動作モードに応じた処理シーケンスへ移行する。なお、本実施形態では、その他の動作モードについての説明は省略する。
【０１０２】
ステップＳ１３２において、信号処理＆制御部１１は、記録部１６，表示部１３を制御して、記録部１６に記録済みの画像データを読み出し、表示部１３を用いて記録済み画像データの一覧表示を行なうファイル一覧表示処理を実行する。その後、ステップＳ１３３の処理に進む。
【０１０３】
ステップＳ１３３において、信号処理＆制御部１１の操作判定部１１ｂは、再生用画像データが選択されたか否かの確認を行なう。  
例えば、カメラ１０の使用者が再生を所望する画像データを選択するための所定の操作を、対応する操作部材、例えば操作部１５，タッチパネル１４の操作を行なうと、再生画像データ選択指示信号が生じる。ここで、信号処理＆制御部１１の操作判定部１１ｂは、この指示信号を監視している。
【０１０４】
上述のステップＳ１３３の処理にて、再生用画像データが選択されたことが確認されると、信号処理＆制御部１１は、記録部１６を制御して、確認された再生用画像データ選択指示信号に対応する選択画像データを読み込んだ後、次のステップＳ１３４の処理に進む。また、再生用画像データの選択操作が確認されない場合には、ステップＳ１３７の処理に進む。
【０１０５】
ステップＳ１３４において、信号処理＆制御部１１は、上述のステップＳ１３３の処理にて読み込んだ画像データが表示形態に関する情報（例えば折り畳み表示情報等）を有する画像データであるか否かの確認を行なう。ここで、表示形態情報を有する画像データであることが確認された場合には、次のステップＳ１３５の処理に進む。また、表示形態情報を有する画像データではないことが確認された場合には、次のステップＳ１３６の処理に進む。
【０１０６】
ステップＳ１３５において、信号処理＆制御部１１の表示制御部１１ａは、表示部１３を制御して、上述のステップＳ１３３の処理にて読み込んだ画像データについての展開表示処理、即ち対応する表示形態情報に基く形態で表示を行なう表示処理を実行する。その後、ステップＳ１３１の処理に戻り、以降の処理を繰り返す。
【０１０７】
この場合において、読み込まれた画像データが、例えば折り畳み表示形態に関する情報を有するものである場合には、上述の図５に示す折り畳み経時変化とは逆方向の経時的変化を伴う展開表示を行なう。
【０１０８】
一方、上述のステップＳ１３４の処理にて表示形態情報を持たない画像データであることが確認された場合には、ステップＳ１３６において、信号処理＆制御部１１は、表示制御部１１ａを介して表示部１３を制御して、通常の拡大表示処理、即ち表示部１３の全表示領域を用いて画像を表示する処理を実行する。その後、ステップＳ１３１の処理に戻り、以降の処理を繰り返す。
【０１０９】
他方、上述のステップＳ１３３の処理にて再生用画像データの選択操作が確認されずにステップＳ１３７の処理に進むと、このステップＳ１３７において、信号処理＆制御部１１は、再生モード処理を終了する指示信号が生じたか否かを確認する。ここで、終了指示信号が確認された場合には、ステップＳ１２５の処理に進む。このステップＳ１２５以降の処理は上述した通りである。また、終了指示信号が確認されない場合には、上述のステップＳ１３２の処理に戻り、以降の処理を繰り返す。
【０１１０】
以上説明したように上記第１の実施形態によれば、例えば地図，パンフレット，書類等の紙状の二次元媒体からなる紙状資料等を一枚の紙片として広げた状態を撮影した画像データにおいて、表示形態に関する情報を付加して記録することで、画像再生時にユニークな表示形態、即ち一画像を折り畳んだ状態から展開するように表示させる表示形態で再生表示することができる。したがって、画像データとして記録した記録媒体を有するカメラ等の携帯機器を持ち歩くのに際して、あたかも折り畳んだ状態の紙状資料等を持ち歩くような感覚を得ることができる。
【０１１１】
画像再生時において、記録済みの画像データを表示部に単に表示させるだけでなく、表示経過をアニメーション的に表示させるユニークな表示形態を提示することができるので、画像再生自体を楽しむことができる。
【０１１２】
［第２の実施形態］
上述の第１の実施形態においては、撮影動作の処理シーケンス中において、シャッタレリーズ操作によって取得され一時記憶されている画像データに基いて、その画像データの本記録前に、表示形態情報の設定を行なうようにしている。
【０１１３】
以下に説明する第２の実施形態においては、所望の被写体を撮影する際に、撮影動作の処理シーケンス中において、シャッタレリーズ操作を行なう前に所望の表示形態情報の設定を行なってレリース操作を実行することで、画像データを取得するのと同時に、この取得画像データに関連付けて所望の表示形態情報も記録するというものである。この場合において、所望の被写体としては、例えば地図，パンフレット，書類等の紙状の二次元媒体からなる対象物（紙状資料）を一枚の紙片として広げた状態としたものである。
【０１１４】
本実施形態においても、上述の第１の実施形態と同様に携帯機器の一例としてカメラを例に挙げて説明する。本実施形態のカメラの基本的な構成は、上述の第１の実施形態と略同様であり、その作用が若干異なるのみである。したがって、以下の説明においては、上述の第１の実施形態と異なる点についてのみ主に詳述するものとする。また、各構成部材についての説明は省略し、同じ構成部材は同じ符号を用い、また、同じ構成部材についての図示は省略し、上述の第１の実施形態で用いた図面（図１等）を参照するものとする。  図１３は、本実施形態のカメラにおける撮影処理シーケンスを示すフローチャートである。
【０１１５】
まず、カメラ１０が撮影モードに設定された状態で起動する。このとき、図１３のステップＳ３０１において、信号処理＆制御部１１は、撮像部１２，表示部１３を制御して、ライブビュー表示処理を実行する。
【０１１６】
ここで、使用者は、表示部１３の表示領域内に所望の被写体（上記二次元媒体を広げたもの）が収まるように、表示部１３のライブビュー表示を見ながらフレーミングする。図１４は、ライブビュー表示が行なわれている状態の表示部を示す概念図である。上述したように、例えば地図，パンフレット，書類等の紙状の二次元媒体からなる対象物（紙状資料）を一枚の紙片として広げた状態とした矩形状の平面からなるもの（図１４の符号１０１）を、被写体として撮影を行なうのに際しては、図１４に示すように、矩形状の被写体ができるだけ画面一杯に収まるようにフレーミングするのが望ましい。
【０１１７】
続いて、ステップＳ３０２において、信号処理＆制御部１１は、カメラ１０に設定されている動作モードの詳細を確認する。ここで、カメラ１０に設定されている動作モードが撮影モードのうち再生情報付加モードである場合には、次のステップＳ３０４の処理に進む。なお、カメラ１０に設定されている動作モードが撮影モードのうち再生情報付加モード以外である場合には、ステップＳ３０３の処理に進み、このステップＳ３０３の処理にて、その他の動作モード、例えば通常の撮影を行なう通常撮影モードに応じた処理が行なわれる。なお、このステップＳ３０３以降の通常撮影モード処理については、従来のカメラのける処理シーケンスと同様であるものとして、その説明は省略する。ステップＳ３０３の通常撮影モード処理が完了したら、上述のステップＳ３０１の処理に戻り、以降の処理を繰り返す。
【０１１８】
ステップＳ３０４において、信号処理＆制御部１１は、撮像部１２により取得されている画像データに基いて、表示部１３のライブビュー表示画像中の矩形状の被写体（二次元媒体）の最外周縁部の輪郭線を抽出する輪郭抽出処理を行なう。
【０１１９】
続いて、ステップＳ３０５において、信号処理＆制御部１１は、上述のステップＳ３０４の処理結果に基いて、全画像領域のうち被写体の輪郭線よりも外側領域を、例えば黒塗り画像として矩形状の枠画像を表示する枠表示処理を行なう。
【０１２０】
図１５は、ライブビュー画像に枠表示処理を施した状態を示す概念図である。図１５に示すように、上述のステップＳ３０５の枠表示処理によって、表示部１３には、所望の被写体画像１０１と、これを囲むようにして枠画像１０２が表示されている。
【０１２１】
次いで、ステップＳ３０６において、信号処理＆制御部１１の操作判定部１１ｂは、操作部１５のうちの所定の操作部材（不図示）からの指示信号を監視する。ここで、使用者は、表示部１３の表示画面を確認し、表示中の画像によって撮影動作を行なってよいかどうかを判断することになる。その結果、枠画像のやり直しをしたい場合には、使用者は、所定の操作部材を操作することにより、表示中の枠画像をキャンセルする。そのために、例えば図１５の表示画面中に「キャンセル」ボタンを表示させるようにしてもよい。「キャンセル」したい場合には、タッチパネルで「キャンセル」ボタンをタッチ操作してもよいし、所定の操作部材を操作するようにしてもよい。一方、枠画像のやり直しが不要であれば、使用者は、シャッターレリーズ操作を行なうことによって、実際の撮影動作処理を開始する。
【０１２２】
なお、上記キャンセル操作やシャッターレリーズ操作については、操作部１５に含まれる操作部材の操作のみに限らず、タッチパネル１４を用いるようにしてもよい。その場合には、信号処理＆制御部１１の表示制御部１１ａを介して表示部１３を制御して、表示画面上に、各操作に対応するアイコン表示を行なう。これにより使用者は表示部１３の表示に基いてタッチパネル１４のタッチ操作を行うことによって、同様の操作を行なうことができる。
【０１２３】
即ち、ステップＳ３０６の処理にて、キャンセル指示が確認された場合には、ステップＳ３０７の処理に進み、このステップＳ３０７において、信号処理＆制御部１１は、表示中の枠画像を消去し、上述のステップＳ３０４の処理に戻る。一方、キャンセル指示が確認されず、レリーズ指示が確認された場合には、次のステップＳ３０８の処理に進む。
【０１２４】
ステップＳ３０８において、信号処理＆制御部１１は、上述のステップＳ３０８の処理によって発生した撮影指示信号を受けて、撮像部１２，表示部１３等を制御して撮影動作の処理シーケンスを実行する。このとき取得される画像データは、上記枠画像の内側の画像領域に相当する画像データである。つまり、ここで取得される画像データは、上述のステップＳ３０４の処理にて抽出された被写体の輪郭線と、それより内側の領域、即ち所望の被写体のみを対象とする画像データである。
【０１２５】
続いて、ステップＳ３０９において、信号処理＆制御部１１は、表示制御部１１ａを介して表示部１３を制御して、上述のステップＳ３０８の撮影動作処理にて撮像部１２によって取得された画像データに基く画像を、上述のステップＳ３０５の枠表示処理によって表示中の枠表示内に表示する。このとき、枠表示は継続して行なわれる。
【０１２６】
なお、このときの表示部１３の表示は、上述の図１５と略同様であるが、枠内の画像については、上述の図１５の場合（ステップＳ３０５の処理）はライブビュー画像であるのに対して、この時点（ステップＳ３０９の処理）においては取得画像である点が異なる。
【０１２７】
次に、ステップＳ３１０において、信号処理＆制御部１１は、表示制御部１１ａを介して表示部１３を制御して、上述のステップＳ３０９の表示（取得画像１０１及び枠画像１０２）を維持しながら、これに重畳させて再生情報としての折り畳みタイプの選択メニューを表示する。図１６は、撮影画像１０１及び枠画像１０２に重畳させて表示した選択メニューの表示例を示す図である。
【０１２８】
ここで、折り畳みタイプとは、折り畳み表示を行なうための各種の形態をいう。本実施形態においては、予め決められた折り畳み表示に関する表示形態を複数種類用意し、そのうちから所望の形態を選択するようにしている。これに加えて、表示形態を使用者が設定するマニュアル設定も選択できるようにしている。なお、本実施形態においては、「２つ折り」と「４つ折り」の二種の折り畳み表示形態とが、予め用意されているものとする。ここで、「２つ折り」表示形態とは、例えば上述の第１の実施形態にて説明した形態（図図５参照）を一例とする。
【０１２９】
また、「２つ折り」表示形態の異なる形態としては、例えば図１７に示す形態がある。この図１７（Ａ）〜図１７（Ｋ）で示される表示形態は、表示部１３の表示領域の略全領域を使って表示されている画像（図１７（Ａ））について、折り目表示線１３ｃを境界として２つ折り表示する場合の他の例である。図１７は、その表示形態の経時変化を（Ａ）から（Ｋ）への順に示している。
【０１３０】
まず、図１７（Ａ）の状態では、表示部１３の表示領域の略全領域を使って画像全体が表示されているものとする。この場合において、折り目表示線１３ｃを境界として画像の左半部を符号１３Ｌで、画像の右半部を符号１３Ｒで示す。図１７（Ａ）に示す状態では、右半部１３Ｒ，左半部１３Ｌは共に通常状態で表示されている。このとき、右半部１３Ｒの画像を符号［ＡＲ］で、左半部１３Ｌの画像を符号［ＡＬ］で示している。
【０１３１】
この図１７（Ａ）の状態から所定時間が経過して図１７（Ｂ）以降において、左半部１３Ｌの画像を［ＡＬ］はそのままの状態が維持されつつ、右半部１３Ｒの画像［ＡＲ］は図１７（Ａ）の状態に比してＸ軸方向のマイナス（−）方向（図において左手方向）に圧縮表示される。このとき右半部１３Ｒの領域においては、符号［ＡＲ］で示す領域以外の背景部分は、例えば白若しくは黒等によって表示される（図１７（Ｂ）の斜線で示す部分）。これ以降、時間経過に従って、図１７（Ｃ）〜（Ｅ）に示されるように、画面右半部１３Ｒの画像部分［ＡＲ］の面積が小となる方向に変形し、同時に背景部分の領域（斜線部分）の面積が大となる。そして、図１７（Ｆ）に示す状態になると、画面右半部１３Ｒは画像が非表示状態となるのと同時に、全て背景領域（斜線部分）となる。ここまでの表示形態は、図１７（Ａ）で示す状態の画像［ＡＬ］，［ＡＲ］に対し、折り目表示線１３ｃを境界とする谷折りに、つまり右半部１３Ｒの画像領域［ＡＲ］を画面の手前側に向けて折り畳む様子を示している。
【０１３２】
図１７（Ｆ）の状態からさらに時間が経過すると、図１７（Ｇ）に示すように、画面左半部１３Ｌの画像部分［ＡＬ］に対し、折り目表示線１３ｃの側から画像［ＢＲ］が表れる。ここで、符号［ＢＲ］で示される画像は、上記画像［ＡＲ］の裏面側の画像を示すものとする。この図１７（Ｇ）で示される画像［ＢＲ］はＸ軸方向に圧縮された画像となっている。このとき、画像［ＡＬ］は画像［ＢＲ］によって遮蔽されるような表示となる。そして、画面右半部１３Ｒは背景領域（斜線部分）として維持されている。これ以降、時間経過に従って、図１７（Ｈ）〜（Ｊ）に示されるように、画面左半部１３Ｌの領域において、画像［ＢＲ］の面積が大となる方向に変形するのと同時に、画像［ＡＬ］が徐々に覆い隠されるように表示面積が小となる。そして、図１７（Ｋ）に示す状態になると、画面左半部１３Ｌは画像［ＢＲ］のみが表示され、画面右半部１３Ｒは背景領域（斜線部分）が表示される状態になる。
【０１３３】
このように、図１７によって示される「２つ折り」表示形態においては、表面画像としての画像［ＡＬ］，［ＡＲ］が表示されている状態から、折り目表示線１３ｃを境界として画面右半部１３Ｒを折り畳み、最終的に裏面画像［ＢＲ］を、画面左半部１３Ｌに表示させる表示形態である。
【０１３４】
また、図１８は「４つ折り」の折り畳み表示形態の一例を示す。この図１８（Ａ）〜図１８（Ｊ）で示される表示形態は、表示部１３の表示領域の略全領域を使って表示されている画像（図１８（Ａ））について、Ｘ軸折り目表示線１３ｅ及びＹ軸折り目表示線１３ｃを境界として４つ折り表示する場合の一例である。図１８は、その表示形態の経時変化を（Ａ）から（Ｊ）への順に示している。
【０１３５】
まず、図１８（Ａ）の状態では、表示部１３の表示領域の略全領域を使って画像全体が表示されているものとする。この場合において、Ｙ軸折り目表示線１３ｃを境界として画像の左半部を符号１３Ｌで、画像の右半部を符号１３Ｒで示す。また、Ｘ軸折り目表示線１３ｅを境界として画像の上半部を符号１３Ｕで、画像の下半部を符号１３Ｄで示す。そして、二本の折り目表示線１３ｃ，１３ｅによって、四分割され得る４つの画像領域をそれぞれ符号［ＡＬ１］，［ＡＬ２］，［ＡＲ１］，［ＡＲ２］とする。
【０１３６】
この状態において、当該「４つ折り」表示形態では、まずＸ軸折り目表示線１３ｅを境界として画面下半部１３Ｄが変形することによって第１の折り畳み表示がなされ、その後、Ｙ軸折り目表示線１３ｃを境界として画面右半部１３Ｒのうちの上半部の画像［ＡＲ１］が消失し、さらにその後、画像［ＡＲ１］の裏面画像［ＢＲ１］が徐々に現われて、最終的にこの裏面画像［ＢＲ１］が表紙画像（サムネイル画像）として表示される第２の折り畳み表示とを連続的に表わす表示形態となっている。
【０１３７】
即ち、まず図１８（Ａ）の表画像全表示状態から所定時間が経過して図１８（Ｂ）に示す状態になると、上半部１３Ｄの画像を［ＡＬ１］，［ＡＲ１］はそのままの状態が維持されつつ、下半部１３Ｄの画像［ＡＬ２］，［ＡＲ２］は図１７（Ｂ）に示される略台形状に変化する。このとき、背景となる部分（図１８（Ｂ）の斜線で示す部分）は、例えば白若しくは黒等によって表示される。これ以降、時間経過に従って図１８（Ｃ）に示されるように、画面下半部１３Ｄの画像部分（略台形部分［ＡＬ２］，［ＡＲ２］）の面積が小となる方向に変形し、同時に背景部分の領域の面積（斜線部分）が大となる。そして、最終的に、図１８（Ｄ）に示すように、画面下半部１３Ｄの画像［ＡＬ２］，［ＡＲ２］が非表示状態となるのと同時に、画面下半部は全て背景領域（斜線部部）となる。ここまでの表示形態は、図１８（Ａ）で示す状態の全表示画像に対し、Ｘ軸折り目表示線１３ｅを境界として山折りに、つまり下半部１３Ｄの画像領域［ＡＬ２］，［ＡＲ２］を画面の奥側に向けて折り畳む様子を示している。
【０１３８】
続いて、図１８（Ｄ）の状態から時間が経過すると、図１８（Ｅ）に示すように、画面上半部１３Ｕの領域のうちＹ軸折り目表示線１３ｃを境界として左半部の画像［ＡＬ１］はそのままの状態が維持されつつ、右半部の画像［ＡＲ１］は図１８（Ｄ）の状態に比してＸ軸方向のマイナス（−）方向（図において左手方向）に圧縮表示される。このとき上半部１３Ｕの右半部１３Ｒの領域においては、符号［ＡＲ１］で示す領域以外の背景部分は、例えば白若しくは黒等によって表示される（図１８（Ｅ）の斜線で示す部分）。これ以降、時間経過に従って図１８（Ｆ）に示されるように、画面上半部１３Ｕの右半部１３Ｒの画像部分［ＡＲ１］の面積が小となる方向に変形し、同時に背景部分の領域（斜線部分）の面積が大となる。そして、図１８（Ｇ）に示す状態になると、画面上半部１３Ｕの右半部１３Ｒの画像［ＡＲ１］が非表示状態となるのと同時に、全て背景領域（斜線部分）となる。ここまでの表示形態は、図１８（Ｄ）で示す状態の画面上半部１３Ｕの画像［ＡＬ１］，［ＡＲ１］に対し、折り目表示線１３ｃを境界とする谷折りに、つまり画像領域［ＡＲ１］を画面の手前側に向けて折り畳む様子を示している。
【０１３９】
図１８（Ｇ）の状態からさらに時間が経過すると、図１８（Ｈ）に示すように、画面上半部１３Ｕの左半部１３Ｌの画像［ＡＬ１］に対し、Ｙ軸折り目表示線１３ｃの側から画像［ＢＲ１］が表れる。ここで、符号［ＢＲ１］で示される画像は、上記画像［ＡＲ１］の裏面側の画像を示すものとする。この図１８（Ｈ）で示される画像［ＢＲ１］はＸ軸方向に圧縮された画像となっている。このとき、画像［ＡＬ１］は画像［ＢＲ１］によって遮蔽されるような表示となる。そして、画面下半部１３Ｄ及び画面上半部１３Ｕの右半部１３Ｒは背景領域（斜線部分）として維持されている。これ以降、時間経過に従って、図１８（Ｉ）に示されるように、画面上半部１３Ｕの左半部１３Ｌの領域において、画像［ＢＲ１］の面積が大となる方向に変形するのと同時に、画像［ＡＬ１］が徐々に覆い隠されるように表示面積が小となる。そして、図１８（Ｊ）に示す状態になると、画面上半部１３Ｕの左半部１３Ｌは画像［ＢＲ１］のみが表示され、下半部１３Ｄ及び右半部１３Ｒは背景領域（斜線部分）が表示される状態になる。
【０１４０】
このように、図１８によって示される「４つ折り」表示形態においては、表面画像としての画像［ＡＬ１］，［ＡＬ２］，［ＡＲ１］，［ＡＲ２］が表示されている状態から、まず、Ｘ軸折り目表示線１３ｅを境界として画面下半部１３Ｄを折り畳み、次いで、Ｙ軸折り目表示線１３ｃを境界として画面右半部１３Ｒを折り畳むことで、最終的に裏面画像の一部の画像［ＢＲ１］を、画面上半部１３Ｕの左半部１３Ｌに表示させる表示形態である。
【０１４１】
図１３に戻って、使用者は、上述のステップＳ３１０において、所望の表示形態のタイプを選択すると、以降の処理にて、選択された表示形態に合わせた設定情報が自動的に取得画像に関連付けて記憶されるようになっている（詳細後述）。
【０１４２】
また、このような自動設定のほかに、使用者が任意に表示形態の設定情報を設定し得るマニュアル設定も選択できるようになっている。この場合において、マニュアル設定の処理シーケンスとしては、例えば上述の第１の実施形態で説明した手順等が考えられる。また、本実施形態におけるマニュアル設定処理シーケンスの詳細は後述する（図１９参照）。
【０１４３】
ここで、使用者は、折畳タイプの選択メニューから所望するメニューを選択する。  
まず、ステップＳ３１１において、信号処理＆制御部１１は、タッチパネル１４，操作部１５からの指示信号を監視して、使用者の選択が「キャンセル」か否かの確認をする。ここで、「キャンセル」が選択されていれば、上述のステップＳ３０１の処理に戻り、以降の処理を繰り返す。また、「キャンセル」が選択されていなければ、上述のステップＳ３１２の処理に進む。
【０１４４】
ステップＳ３１２において、信号処理＆制御部１１は、同様にタッチパネル１４，操作部１５からの指示信号を監視して、使用者の選択が「２つ折り」であるか否かの確認をする。ここで、「２つ折り」が選択されていれば、ステップＳ３１３の処理に進み、このステップＳ３１３において、信号処理＆制御部１１は、「２つ折り」表示形態に関する折り目設定、例えば画面水平方向における中央部分に画面縦方向の折り目を設定する処理を行なう。その後、ステップＳ３１８の処理に進む。一方、「２つ折り」が選択されていなければ、ステップＳ３１４の処理に進む。
【０１４５】
ステップＳ３１４において、信号処理＆制御部１１は、同様にタッチパネル１４，操作部１５からの指示信号を監視して、使用者の選択が「４つ折り」であるか否かの確認をする。ここで、「４つ折り」が選択されていれば、ステップＳ３１５の処理に進み、このステップＳ３１５において、信号処理＆制御部１１は、「４つ折り」表示形態に関する折り目設定、例えば画面水平方向における中央部分に画面縦方向の折り目と、画面縦方向における中央部分に画面水平方向の折り目との二本の折り目を設定する処理を行なう。その後、ステップＳ３１８の処理に進む。一方、「４つ折り」が選択されていなければ、ステップＳ３１６の処理に進む。
【０１４６】
ステップＳ３１６において、信号処理＆制御部１１は、同様にタッチパネル１４，操作部１５からの指示信号を監視して、使用者の選択が「キャンセル」，「２つ折り」，「４つ折り」のいずれでもない場合には、使用者はマニュアル操作を行うことを所望しているものとして、ステップＳ３１７の処理に進み「マニュアル設定」処理（詳細は後述する；図１９）を実行する。その後、ステップＳ３１８の処理に進む。
【０１４７】
ステップＳ３１８において、信号処理＆制御部１１は、表紙指定処理を実行する。この表紙指定処理は、まず、表示部１３に「表紙指定」ボタン等（図４参照）を表示させ、タッチパネル１４，操作部１５からの指示信号を監視し、使用者の表紙指定操作による指示信号を受けて、表紙画像の設定を行ない、指定された表紙画像を表紙画像サムネイルデータとして保存する、といった一連の処理シーケンスである。なお、この表紙指定処理は、上述の第１の実施形態における同様の処理と同じである。
【０１４８】
続いて、ステップＳ３１９において、信号処理＆制御部１１は、記録部１６を制御して、画像データ及びこれに関連する表示形態に関する設定データ等を記録媒体に記録する処理を実行する。なお、表示形態に関する各種の設定データは、画像データとは別のファイルとして、対応する画像データと関連付けて記録するようにしてもよいし、画像データと一体とする形態で、画像データのタグ情報等として記録するようにしてもよい。
【０１４９】
ステップＳ３２０において、信号処理＆制御部１１は、撮像部１２，表示部１３を制御して、表示中の撮影画像表示を消去してライブビュー表示処理を実行し、次の撮影動作の待機状態になる。この時点においては、枠画像表示を継続して表示させた状態とする。このことは、例えば後述の「裏面」撮影処理を行なう場合には、上記ステップＳ３０８において行なった撮影結果に合わせたサイズの画像データを取得しやすくする措置である。また一方、この時点において枠画像表示も合わせて消去するようにしてもよい。その場合には、次の撮影時に、上述のステップＳ３０４の処理（輪郭抽出処理）及びステップＳ３０５の処理（枠表示処理）等を再度実行すればよい。
【０１５０】
続いて、ステップＳ３２１において、信号処理＆制御部１１は、「裏面」撮影を行なうか否かを確認する。ここで、「裏面」とは、上述のステップＳ３０８の撮影処理にて撮影対象とした被写体の裏面をいうものとする。
【０１５１】
即ち、「裏面」撮影とは、上記ステップＳ３０８の撮影処理結果を表面画像（第１画像）とした場合に、同一被写体の裏面に対する撮影処理を続けて行なって得られる画像を裏面画像（第２の画像）とする。そして、後述するように、続けて撮影した二つの同サイズの画像を関連付ける情報を付加することによって、後述の再生動作時の表示形態にバリエーションを加えるようにしている。
【０１５２】
そのために、上述のステップＳ３２１の処理において、信号処理＆制御部１１の表示制御部１１ａは、表示部１３を制御して、次の撮影を「裏面」撮影とするか、別の撮影とするかを設定するための表示アイコン（不図示）を、上記ライブビュー表示に重畳表示させる。
【０１５３】
ここで、使用者による所定の操作指示信号が、「裏面」撮影を行なう指示信号である場合には、次のステップＳ３２２の処理に進む。また、「裏面」撮影を行なわない場合には、ステップＳ３２５の処理に進む。
【０１５４】
ステップＳ３２２において、信号処理＆制御部１１は、撮像部１２，表示部１３等を制御して撮影動作の処理シーケンスを実行する。ここで、上述のステップＳ３２０の処理にて表示部１３に枠画像表示を残している場合には、使用者は、所望の被写体（裏面）の輪郭線を枠画像に合わせてフレーミングし、レリーズ操作を行なう。これにより、第２の撮影画像（裏面画像）データが取得される。
【０１５５】
また一方、上述のステップＳ３２０の処理にて表示部１３の枠画像表示を消去した場合には、使用者は、ライブビュー表示を見ながらフレーミングする。その結果、信号処理＆制御部１１は、上述のステップＳ３０４〜Ｓ３０５の処理と同様に、抽出処理及び枠画像表示を行なう。使用者は、この枠画像に合わせて、今回の第２の撮影のためのレリーズ操作を行なう。これにより、第２の撮影画像（裏面画像）データが取得される。続いて、第２の撮影画像（裏面画像）データについての表紙指定も行なう。
【０１５６】
例えば、上述の図１７に示す「２つ折り」表示形態や、図１８に示す「４つ折り」表示形態の場合には、折り畳み表示を行なうと最終的に第２の撮影画像（裏面画像）の一部が表紙画像になる。したがって、第２の撮影画像（裏面画像）が関連付けられる場合には、第２の撮影画像（裏面画像）についても表紙指定を行なっておく必要がある。したがって、表示形態情報には、第１の撮影画像（表面画像）と第２の撮影画像（裏面画像）との双方が共に表紙設定情報を有している場合もあり得ることになる。
【０１５７】
しかしながら、上述のステップＳ３１２〜Ｓ３１７の選択処理の結果、設定された表示形態によって、実際に表紙となる画像領域が規定されることになるので、表面画像，裏面画像の双方に表紙情報が存在していても問題はない。
【０１５８】
図１３のステップＳ３２３において、信号処理＆制御部１１は、上述のステップＳ３１９の処理にて記録された第１の画像データ（表面画像）に対して、上述のステップＳ３２２の処理にて取得した第２の画像データ（裏面画像）を関連付ける情報を付加する。
【０１５９】
続いて、ステップＳ３２４において、信号処理＆制御部１１は、記録部１６を制御して第２の画像データと、これに関連する表示形態に関する設定データ等を記録媒体に記録する処理を実行する。
【０１６０】
ステップＳ３２５において、信号処理＆制御部１１は、タッチパネル１４，操作部１５等からの指示信号を監視して、撮影モードを終了するか否かの確認を行なう。ここで、例えば電源スイッチからの電源オフ信号，撮影モード終了指示信号等が確認された場合には、一連の処理を終了し、カメラ制御のメインシーケンス（不図示）に復帰する。また、終了指示信号等が確認されない場合には、上述のステップＳ３０１の処理に戻って、カメラ１０は撮影待機状態となる。
【０１６１】
次に、上述のステップＳ３１７の処理、即ち「マニュアル設定」処理シーケンスの詳細を以下に説明する。図１９は、撮影処理シーケンス中に実行される「マニュアル設定」処理シーケンスの詳細を示すフローチャートである。なお、このマニュアル設定処理が実行される際の使用者による操作等は、上述の第１の実施形態と略同様のものである。以下の説明では、上記第１の実施形態で用いた図面番号を、参照のために付す。
【０１６２】
まず、図１９のステップＳ４０１において、信号処理＆制御部１１は、タッチパネル１４，操作部１５等からの指示信号を監視して、使用者が所定の操作を行なって折り目位置の指定操作（図３参照）を行なったか否かの確認を行なう。ここで、折り目位置指定操作が確認されるまで待機し、確認された場合には、次のステップＳ４０２の処理に進む。
【０１６３】
ステップＳ４０２において、信号処理＆制御部１１は、上述のステップＳ４０１の処理にて指定された折り目位置情報を設定する。このとき、表示部１３を制御して、表示部１３に指定された折り目位置に折り目表示線１３ｃ（図４参照）を表示させるようにしてもよい。
【０１６４】
続いて、ステップＳ４０３において、信号処理＆制御部１１は、タッチパネル１４，操作部１５等からの指示信号を監視して、使用者が所定の操作を行なって表紙指定操作（図４参照）を行なったか否かの確認を行なう。ここで、表紙指定操作が確認されるまで待機し、確認された場合には、次のステップＳ４０４の処理に進む。
【０１６５】
ステップＳ４０４において、信号処理＆制御部１１は、上述のステップＳ４０３の処理にて指定された領域の画像を表紙画像として設定する処理を行なう。また、指定された表示画像のサムネイル画像を生成する。
【０１６６】
続いて、ステップＳ４０５において、信号処理＆制御部１１は、記録部１６を制御して上記折り目位置情報，表紙情報，サムネイル画像等の各種情報を表示形態に関する設定データとして、対応する画像データと一体に若しくは関連付けて記録媒体に記録する処理を実行する。
【０１６７】
ステップＳ４０６において、信号処理＆制御部１１は、タッチパネル１４，操作部１５等からの指示信号を監視して、追加の折り目位置指定操作がなされたか否かの確認を行なう。ここで、追加の折り目位置指定操作が確認されると、上述のステップＳ４０１の処理に戻り、以降の処理を繰り返す。なお、追加の折り目位置指定操作がなされる場合とは、例えば上述の「４つ折り」表示形態等、複数回の折り畳みを行なわしめる表示形態の設定をする場合である。一方、追加の折り目位置指定操作が行なわれなかった場合には、次のステップＳ４０７の処理に進む。
【０１６８】
ステップＳ４０７において、信号処理＆制御部１１は、現在表示中の画像データに対して裏面画像として関連付けを行なうべき第２の画像データが存在するか否かの確認を行なう。ここで、第２の画像データがある場合には、ステップＳ４０８の処理に進む。また、第２の画像データがない場合には、一連の処理を終了し、元の撮影処理シーケンス（図１３）に戻る（リターン）。
【０１６９】
ステップＳ４０８において、信号処理＆制御部１１は、裏面画像表示処理を実行する。この裏面画像表示処理は、簡単に云うと次のような処理シーケンスである。ます、記録部１６の記録媒体に記録済みの複数画像データの一覧表示を行なう。使用者は、この一覧表示を見て、第２の画像データ（裏面画像）とすべき所望の画像データを選択する。選択された画像データが表示部１３に表示される。
【０１７０】
続いて、ステップＳ４０９において、信号処理＆制御部１１は、上述のステップＳ４０５の処理にて記録された第１の画像データを表面画像とし、上述のステップＳ４０８の処理にて読み出した第２の画像データを裏面画像とする関連付け設定を行なう。
【０１７１】
ステップＳ４１０において、信号処理＆制御部１１は、上述のステップＳ４０９の処理による関連付け情報を、上記二つの画像データ（第１，第２の画像データ）に、例えばタグ情報として、若しくは別ファイルによる関連付け情報として記録媒体に記録する処理を実行する。その後、一連の処理を終了し、元の撮影処理シーケンス（図１３）に戻る（リターン）。
【０１７２】
次に、本実施形態のカメラ１０による画像再生時の作用を図２０のフローチャートによって以下に説明する。
【０１７３】
カメラ１０の電源状態がオン状態にあるとき、カメラ１０の動作モードが再生モードに切り換わると、図２０の画像再生処理シーケンスが実行される。
【０１７４】
図２０のステップＳ５０１において、信号処理＆制御部１１は、記録部１６を制御して、記録部１６の記録媒体に記録済みの複数の画像データのうち最新の画像データ、つまり最後に撮影記録した画像データと、これに関連する各種情報を読み込む。
【０１７５】
続いて、ステップＳ５０２において、信号処理＆制御部１１は、読み込まれた画像データに表示形態情報が含まれているか否かの確認を行なう。ここで、表示形態情報が含まれていなければ、ステップＳ５０３の処理に進む。また、表示形態情報が含まれていることが確認されると、ステップＳ５０４の処理に進む。
【０１７６】
ステップＳ５０３において、信号処理＆制御部１１は、表示制御部１１ａを介して表示部１３を制御して、既に読み込まれている画像データに基く画像を表示部１３の全表示領域を用いて表示させる通常画像表示処理を実行する。その後、ステップＳ５１５の処理に進む。
【０１７７】
一方、ステップＳ５０４において、信号処理＆制御部１１は、表示制御部１１ａを介して表示部１３を制御して、既に読み込まれている画像データを、これに関連する表示形態情報に基いて表示部１３に表示させる。即ち、表示形態情報のうちの表紙情報に基いて設定指定されている表紙画像を表示させる。この表紙画像の表示形態は、例えば指定された表紙画像が、対応する画像データを展開した場合の全領域のうち左半部領域の画像であれば、当該表紙画像は、表示部１３の全表示領域のうち画面左半部の領域を使って表示される（図５（Ｇ），図１７（Ｋ）等参照）。
【０１７８】
ステップＳ５０５において、信号処理＆制御部１１は、タッチパネル１４，操作部１５等からの指示信号を監視して、上述のステップＳ５０４の処理にて表示中の表紙画像に対応する画像データについて、展開表示を行なうか否かの確認を行なう。ここで、使用者による所定の操作（例えばタッチパネル１４のタッチ操作若しくは所定の操作部材の押圧操作等）に基いて発生する展開表示指示信号が確認された場合には、次のステップＳ５０６の処理に進む。また、上記展開表示指示信号が確認されない場合には、ステップＳ５０７の処理に進む。
【０１７９】
ステップＳ５０６において、信号処理＆制御部１１は、表示制御部１１ａを介して表示部１３を制御して、既に読み込まれている画像データに関連する表示形態情報に基いて展開表示処理を実行する。その後、ステップＳ５０７の処理に進む。
【０１８０】
ステップＳ５０７において、信号処理＆制御部１１は、表示中の画像データに関連付けられた第２の画像データ（裏面画像）が存在するか否かの確認を行なう。ここで、第２の画像データ（裏面画像）の存在が確認された場合には、ステップＳ５０８の処理に進む。また、第２の画像データ（裏面画像）が存在しない場合には、ステップＳ
の処理に進む。
【０１８１】
ステップＳ５０８において、信号処理＆制御部１１は、表示制御部１１ａを介して表示部１３を制御して、上記表示中の画像データに関連付けられた第２の画像データ（裏面画像）を表示する。この場合においては、表示中の画像、即ち第１の画像データに基く表面画像を展開した状態の画像（全表示画像）に代えて、第２の画像データに基く裏面画像を切り換え表示させる。若しくは、表示中の画像（第１の画像データによる表面画像）と第２の画像データに基く裏面画像とを並べて表示させるようにしてもよく、その他、様々な表示態様が考えられる。
【０１８２】
次いで、ステップＳ５０９において、信号処理＆制御部１１は、タッチパネル１４，操作部１５等からの指示信号を監視して、サムネイル画像一覧表示を行なうか否かの確認を行なう。ここで、使用者による所定の操作（例えばタッチパネル１４のタッチ操作若しくは所定の操作部材の押圧操作等）に基いて発生するサムネイル画像一覧表示指示信号が確認された場合には、次のステップＳ５１０の処理に進む。また、上記サムネイル画像一覧表示指示信号が確認されない場合には、ステップＳ５１３の処理に進む。
【０１８３】
ステップＳ５１０において、信号処理＆制御部１１は、表示制御部１１ａを介して表示部１３を制御して、記録媒体に記録済みの複数の画像データのサムネイル画像を並べて表示するサムネイル画像一覧表示処理を実行する。
【０１８４】
ステップＳ５１１において、信号処理＆制御部１１は、タッチパネル１４，操作部１５等からの指示信号を監視して、上述のステップＳ５１０の処理によるサムネイル画像一覧表示の中から画像選択指示がなされたか否かの確認を行なう。ここで、画像選択指示が確認された場合には、ステップＳ５１２の処理に進む。また、画像選択指示の確認がされない場合には、ステップＳ５１３の処理に進む。
【０１８５】
ステップＳ５１２において、信号処理＆制御部１１は、記録部１６を制御して、上述のステップＳ５１１の処理にて選択指示された画像データと、その関連情報を読み込む。その後、上述のステップＳ５０２の処理に進み、以降同様の処理を行なう。
【０１８６】
一方、上述のステップＳ５０９の処理，ステップＳ５１１の処理にて、ステップＳ５１３の処理に進むと、このステップＳ５１３において、信号処理＆制御部１１は、タッチパネル１４，操作部１５等からの指示信号を監視して、再生動作を終了するか否かの確認を行なう。ここで、再生動作終了指示が確認された場合には、一連の処理を終了し、元のカメラ制御メインシーケンス（不図示）に戻る（リターン）。また、再生動作終了指示が確認されない場合には、ステップＳ５１４の処理に進む。
【０１８７】
そして、ステップＳ５１４において、信号処理＆制御部１１は、内部タイマー（不図示）を参照し、所定時間の経過を待って、一連の処理を終了する。なお、この場合における「終了」とは、例えば電源オフ状態にして、カメラ１０自体の動作を終了させてもよいし、カメラ１０の一部の機能をオフ状態にするいわゆるスリープ状態に移行するようにしてもよいし、また、カメラ制御メインシーケンス（不図示）に戻る（リターン）ようにしてもよい。
【０１８８】
一方、上述のステップＳ５０３の処理にて通常画像表示処理の実行後、ステップＳ５１５の処理に進むと、このステップＳ５１５において、信号処理＆制御部１１は、タッチパネル１４，操作部１５等からの指示信号を監視して、マニュアル操作によって新たに表示形態情報（折り目設定情報）を付加するための動作モードが指示されたか否かの確認を行なう。ここで、マニュアル設定の動作モードの指示が確認された場合には、次のステップＳ５１６の処理に進む。また、マニュアル設定の動作モードの指示が確認されない場合には、上述のステップＳ５０９の処理に進む。以降の処理は、上述した通りである。
【０１８９】
なお、ステップＳ５１６の処理の詳細シーケンスは、上述の図１９にて説明した処理シーケンスと略同様の処理である。ただし、上述の図１９で説明した処理シーケンスは、撮影処理シーケンス中におけるサブルーチンとしているので、再生処理シーケンス中において実行する場合は若干異なる。以下に、異なる点についてのみ説明する。
【０１９０】
図２１は、再生処理シーケンス中における「マニュアル設定」処理のサブルーチンの一部を示すフローチャートである。
【０１９１】
図２１のステップＳ３９１において、信号処理＆制御部１１は、表示部１３に表示中の画像データに基く画像中の矩形状の被写体（二次元媒体）の最外周縁部の輪郭線を抽出する輪郭抽出処理を行なう（図１３のステップＳ３０４の処理に相当する）。
【０１９２】
続いて、ステップＳ３９２において、信号処理＆制御部１１は、上述のステップＳ３９１の処理結果に基いて、全画像領域のうち被写体の輪郭線よりも外側領域を、例えば黒塗り画像として矩形状の枠画像を表示する枠表示処理を行なう（図１３のステップＳ３０５の処理に相当する）。
【０１９３】
次いで、ステップＳ３９３において、信号処理＆制御部１１の操作判定部１１ｂは、操作部１５のうちの所定の操作部材（不図示）からの指示信号を監視する。ここで、枠画像のやり直しを行なう枠画像キャンセル指示が確認された場合には、ステップＳ３９４の処理に進む。枠画像キャンセル指示が確認されない場合には、ステップＳ３９５の処理に進む（図１３のステップＳ３０６の処理に相当する）。
【０１９４】
ステップＳ３９４において、信号処理＆制御部１１は、表示中の枠画像を消去し、上述のステップＳ３９１の処理に戻る（図１３のステップＳ３０７の処理に相当する）。
【０１９５】
ステップＳ３９５において、信号処理＆制御部１１は、表示部１３を制御して上記枠画像の内側の画像領域（輪郭線より内側の画像領域）の画像を表示させる。その後、図１９のステップＳ４０１の処理に進む。以降の処理は、図１９の撮影時の処理と同様である。
【０１９６】
以上説明したように、上記第２の実施形態によれば、上述の第１の実施形態と同様の効果を得ることができる。また、本実施形態のカメラにおいては、通常撮影によって記録済みの画像データに対しても、画像再生を行ないながら好みの表示形態に関する情報を、いつでも付与することができる。したがって、表示形態に非対応の通常の撮影機器（カメラ）を用いて撮影を行なった通常撮影画像データに対しても、好みの表示形態に関する情報を付与することができる。
【０１９７】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【０１９８】
本発明は、撮影機能を有し、その撮影結果により取得した画像データに基く画像を表示し得るデジタルカメラ等の携帯機器等に限られることはなく、他の形態の携帯機器、例えば携帯電話，録音機器，電子手帳，パーソナルコンピュータ，ゲーム機器，テレビ，時計，ＧＰＳ（Global Positioning System）を利用したナビゲーション機器等、各種の画像表示機能付き携帯機器に適用することができる。
【符号の説明】
【０１９９】
１０…カメラ，１１…制御部，１１ａ…表示制御部，１１ｂ…操作判定部，１１ｃ…折り目判定部，１１ｄ…表紙判定部，１１ｅ…演算部，１２…撮像部，１３…表示部，１４…タッチパネル部，１５…操作部，１６…記録部
【図１】
2012247857.tif 000003
【図２】
2012247857.tif 000004
【図３】
2012247857.tif 000005
【図４】
2012247857.tif 000006
【図５】
2012247857.tif 000007
【図６】
2012247857.tif 000008
【図７】
2012247857.tif 000009
【図８】
2012247857.tif 000010
【図９】
2012247857.tif 000011
【図１０】
2012247857.tif 000012
【図１１】
2012247857.tif 000013
【図１２】
2012247857.tif 000014
【図１３】
2012247857.tif 000015
【図１４】
2012247857.tif 000016
【図１５】
2012247857.tif 000017
【図１６】
2012247857.tif 000018
【図１７】
2012247857.tif 000019
【図１８】
2012247857.tif 000020
【図１９】
2012247857.tif 000021
【図２０】
2012247857.tif 000022
【図２１】
2012247857.tif 000023